(57)【要約】【課題】昇降路の排気を容易に行うことができるエレベーターの乗場ドアを提供する。【解決手段】エレベーターの乗場ドアは、パネルを備える。パネルは、エレベーターの乗場の出入口に対して開閉自在に設けられる。パネルは、防犯窓枠等で形成された穴を備える。管体は、パネルの穴に取り付けられる。昇降路の排気は、乗場ドアのパネルに取り付けられた管体を介して昇降路の排気が行われる。このため、昇降路の排気を容易に行うことができる。【選択図】図２
2020164291.tif 000002
【特許請求の範囲】
【請求項１】
エレベーターの乗場の出入口に対して開閉自在に設けられ、エレベーターの昇降路の排気を行う管体が取り付けられる穴を有したパネル、
を備えたエレベーターの乗場ドア。
【請求項２】
前記パネルに設けられた防犯窓枠に対して着脱自在に設けられ、前記穴を有した枠体、
を備えた請求項１に記載のエレベーターの乗場ドア。
【請求項３】
前記穴を遮蔽する遮蔽体、
を備えた請求項２に記載のエレベーターの乗場ドア。
【請求項４】
前記遮蔽体は、前記枠体に対して前記穴を塞ぐ位置と前記穴を塞がない位置とに移動自在に設けられた請求項３に記載のエレベーターの乗場ドア。
【請求項５】
前記遮蔽体は、前記穴を塞ぐ位置から前記枠体に沿って上方に移動することにより前記穴を塞がない位置に配置される請求項４に記載のエレベーターの乗場ドア。
【請求項６】
前記穴を塞ぐ位置に前記遮蔽体を維持するロック体、
を備えた請求項４または請求項５に記載のエレベーターの乗場ドア。
【請求項７】
前記枠体に取り付けられ、前記管体の端部が取り付けられる送風機、
を備えた請求項２から請求項６のいずれか一項に記載のエレベーターの乗場ドア。
【請求項８】
エレベーターの乗場ドアのパネルに設けられた防犯窓枠から防犯ガラスを取り外す防犯ガラス取り外し工程と、
前記防犯ガラス取り外し工程の後、前記エレベーターの乗場の側から管体の一端部を前記防犯窓枠に取り付ける管体取り付け工程と、
前記管体取り付け工程の後、前記エレベーターの昇降路の内部において前記管体の一端部の内部に向けて送風機で送風する送風工程と、
を備えたエレベーターの排気方法。
【請求項９】
前記管体の他端部を前記エレベーターが設けられた建築物の外部に露出させる管体露出工程、
を備えた請求項８に記載のエレベーターの排気方法。
【請求項１０】
前記管体取り付け工程は、穴を有した枠体を前記防犯窓枠に取り付けた後、前記管体の一端部を前記穴に取り付ける工程、
を備えた請求項８または請求項９に記載のエレベーターの排気方法。
【請求項１１】
前記送風工程の後、前記送風機での送風を停止する送風停止工程と、
前記送風停止工程の後、前記管体の一端部を前記防犯窓枠から取り外す管体取り外し工程と、
前記管体取り外し工程の後、前記穴を遮蔽体で遮蔽する穴遮蔽工程と、
を備えた請求項１０に記載のエレベーターの排気方法。
【発明の詳細な説明】
【技術分野】
【０００１】
この発明は、エレベーターの昇降路の排気を行う機能を備えた乗場ドアおよび排気方法に関する。
【背景技術】
【０００２】
特許文献１は、エレベーターの排気装置を開示する。当該排気装置によれば、昇降路の内部の煙等を昇降路の外部に排出し得る。
【先行技術文献】
【特許文献】
【０００３】
【特許文献１】特開２０１８−９５３４２号公報
【発明の概要】
【発明が解決しようとする課題】
【０００４】
しかしながら、特許文献１に記載の排気装置においては、吸気装置等を予め設けておく必要がある。このため、エレベーターの構成が複雑になる。
【０００５】
この発明は、上述の課題を解決するためになされた。この発明の目的は、昇降路の排気を容易に行うことができるエレベーターの乗場ドアおよび排気方法を提供することである。
【課題を解決するための手段】
【０００６】
この発明に係るエレベーターの乗場ドアは、エレベーターの乗場の出入口に対して開閉自在に設けられ、エレベーターの昇降路の排気を行う管体が取り付けられる穴を有したパネル、を備えた。
【０００７】
この発明に係るエレベーターの排気方法は、エレベーターの乗場ドアのパネルに設けられた防犯窓枠から防犯ガラスを取り外す防犯ガラス取り外し工程と、前記防犯ガラス取り外し工程の後、前記エレベーターの乗場の側から管体の一端部を前記防犯窓枠に取り付ける管体取り付け工程と、前記管体取り付け工程の後、前記エレベーターの昇降路の内部において前記管体の一端部の内部に向けて送風機で送風する送風工程と、を備えた。
【発明の効果】
【０００８】
これらの発明によれば、乗場ドアのパネルに取り付けられた管体を介して昇降路の排気が行われる。このため、昇降路の排気を容易に行うことができる。
【図面の簡単な説明】
【０００９】
【図１】実施の形態１におけるエレベーターの乗場ドアが適用される油圧エレベーターの構成図である。
【図２】実施の形態１におけるエレベーターの乗場ドアの斜視図である。
【図３】実施の形態１におけるエレベーターの乗場ドアが設けられた建築物の非常口の斜視図である。
【図４】実施の形態１におけるエレベーターの乗場ドアの斜視図である。
【図５】実施の形態２におけるエレベーターの乗場ドアの正面図である。
【図６】実施の形態２におけるエレベーターの乗場ドアの管体支持装置の縦断面図である。
【図７】実施の形態２におけるエレベーターの乗場ドアの管体支持装置の縦断面図である。
【図８】実施の形態２におけるエレベーターの乗場ドアの要部の縦断面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１は実施の形態１におけるエレベーターの乗場ドアが適用される油圧エレベーターの構成図である。
【００１２】
図１の油圧エレベーターにおいて、昇降路１は、建築物の各階を貫く。機械室２は、昇降路１の底部に隣接する。複数の乗場３の各々は、建築物の各階に設けられる。複数の乗場３の各々は、昇降路１に対向する。複数の乗場ドア４の各々は、複数の乗場３の各々の出入口に設けられる。
【００１３】
シリンダ５は、昇降路１の底部に固定される。プランジャ６は、シリンダ５の内部に挿入される。シーブ７は、プランジャ６の上端に取り付けられる。ガイドレール８は、昇降路１の底部に固定される。かご９は、ガイドレール８に支持される。かごドア１０は、かご９の出入口に設けられる。主ロープ１１は、シーブ７に巻き掛けられる。主ロープ１１の一側は、昇降路１の底部に固定される。主ロープ１１の他側は、かご９を支持する。かご９の両側は、ガイドレール８に支持される。
【００１４】
パワーユニット１２は、機械室２に設けられる。油圧配管１３は、昇降路１と機械室２を区切る壁面に形成された穴を経由してプランジャ６とパワーユニット１２とを接続する。制御盤１４は、機械室２に設けられる。制御盤１４は、パワーユニット１２に電気的に接続される。吸気装置Ａは、機械室２の壁面に設けられる。吸気装置Ａは、外部の空気を機械室２の内部に吸込み得るように設けられる。
【００１５】
制御盤１４は、パワーユニット１２を制御する。当該制御により、パワーユニット１２は、油圧配管１３を介してシリンダ５内の作動油の量を調整する。プランジャ６は、シリンダ５内の作動油の量に応じて昇降する。シーブ７は、プランジャ６の昇降に追従して昇降する。主ロープ１１は、シーブ７の昇降に追従して移動する。かご９は、主ロープ１１の移動に追従して昇降する。この際、かご９は、ガイドレール８に案内される。
【００１６】
次に、図２と図３とを用いて、昇降路１の排気方法を説明する。
図２は実施の形態１におけるエレベーターの乗場ドアの斜視図である。図３は実施の形態１におけるエレベーターの乗場ドアが設けられた建築物の非常口の斜視図である。
【００１７】
図２に示されるように、乗場ドア４は、複数のパネル４ａを備える。複数のパネル４ａは、乗場３の出入口に対して開閉自在に設けられる。防犯窓枠４ｂは、いずれかのパネル４ａに形成される。通常時において、防犯窓枠４ｂには、図示されない防犯ガラスが取り付けられる。
【００１８】
図２と図３とにおいては図示されない昇降路１の内部の工事が行われる際、昇降路１の排気等が行われる。例えば、油圧エレベーターから巻上機を使うエレベーターに改修する場合、溶接等により発生した煙を昇降路１の外部に排出する必要がある。
【００１９】
例えば、最上階において、図示されない防犯ガラスが防犯窓枠４ｂから取り外される。その後、ビニール配管等の管体１５の一端部が乗場３の側から防犯窓枠４ｂに取り付けられる。この際、乗場３の側から昇降路１の内部が露出しないように、防犯窓枠４ｂの穴の管体１５以外の個所が図示されないテープ等で一時的に遮蔽される。その後、管体１５の他端部が建築物の外部に露出される。その後、昇降路１の内部において、仮設の足場等に取り付けられた送風機１６が管体１５の一端部の内部に向けて送風を開始する。その結果、昇降路１の内部の煙は、昇降路１の外部に排出される。
【００２０】
次に、図４を用いて、昇降路１の排気が終了した後の乗場ドア４を説明する。
図４は実施の形態１におけるエレベーターの乗場ドアの斜視図である。
【００２１】
昇降路１の内部の工事が一時的に終了した段階においては、図４においては図示されない送風機１６での送風が停止される。その後、管体１５の一部が防犯窓枠４ｂから取り外される。その後、防犯窓枠４ｂで形成された穴がテープ等で全体的に遮蔽される。
【００２２】
昇降路１の内部の全ての工事が終了した段階においては、送風機１６での送風が停止される。その後、管体１５の一部が防犯窓枠４ｂから取り外される。その後、防犯ガラスが再び取り付けられる。
【００２３】
以上で説明した実施の形態１によれば、乗場ドア４のパネル４ａに取り付けられた管体１５を介して昇降路の排気が行われる。このため、昇降路１の排気を容易に行うことができる。例えば、昇降路１の内部において溶接工事が行われる際に昇降路１の内部の煙を容易に排出することができる。例えば、昇降路１の内部においてはつり工事が行われる際に昇降路１の内部の粉塵を容易に排出することができる。例えば、夏場において工事が行われる際に昇降路１の内部の熱を容易に排出することができる。
【００２４】
なお、図１の構成において昇降路１の排気が行われる際、外部の空気は、吸気装置Ａにより機械室２の内部に吸い込まれる。当該空気は、昇降路１と機械室２を区切る壁面に形成された穴を介して昇降路１の内部に流れる。このため、空気の流れを確実に確保することができる。
【００２５】
実施の形態２．
図５は実施の形態２におけるエレベーターの乗場ドアの正面図である。なお、実施の形態１の部分と同一又は相当部分には同一符号が付される。当該部分の説明は省略される。
【００２６】
実施の形態２において、乗場ドア４には、管体支持装置が一時的に取り付けられる。管体支持装置は、枠体１７と遮蔽体１８とロック体１９とを備える。
【００２７】
枠体１７は、防犯窓枠４ｂに対して着脱自在に設けられる。例えば、枠体１７は、防犯窓枠４ｂにおいて防犯ガラスを固定する際に利用される複数の穴を介してボルト等により固定される。枠体１７は、穴を有する。穴は、枠体１７の下方に形成される。遮蔽体１８は、枠体１７に対して穴を塞ぐ位置と穴を塞がない位置とに移動自在に設けられる。例えば、ロック体１９は、遮蔽体１８に設けられる。ロック体１９は、遮蔽体１８が穴を塞ぐ位置に遮蔽体１８を維持し得るように設けられる。
【００２８】
蛇腹状の管体１５の一端部は、枠体１７の穴に取り付けられる。
【００２９】
次に、図６と図７を用いて、管体支持装置を説明する。
図６と図７とは実施の形態２におけるエレベーターの乗場ドアの管体支持装置の縦断面図である。
【００３０】
例えば、枠体１７は、矩形状の鉄で形成される。枠体１７は、図６と図７とにおいては図示されない防犯窓枠４ｂの形状に合わせて形成される。例えば、遮蔽体１８は、矩形状の鉄で形成される。遮蔽体１８は、枠体１７に対して鉛直方向に移動自在に設けられる。遮蔽体１８は、上方に移動された際に枠体１７の穴を露出させる。遮蔽体１８は、下方に移動された際に枠体１７の穴を遮蔽する。例えば、ロック体１９は、鍵である。ロック体１９は、遮蔽体１８が下方に移動された状態を維持する。
【００３１】
次に、図８を用いて、送風機１６の固定方法を説明する。
図８は実施の形態２におけるエレベーターの乗場ドアの要部の縦断面図である。
【００３２】
図８に示されるように、送風機１６において、前部の側の外径は、後部の側の外径よりも大きい。前部の側の外径は、枠体１７の穴の内径よりも大きい。後部の側の外径は、枠体１７の穴の内径よりも小さい。
【００３３】
送風機１６の後部は、乗場３の側から枠体１７の穴に挿入される。この状態において、送風部は、枠体１７に支持される。
【００３４】
以上で説明した実施の形態２によれば、管体支持装置は、昇降路１の内部の工事が行われる際に一時的に防犯窓枠４ｂに取り付けられる。このため、昇降路１の排気を容易に行うことができる。
【００３５】
また、遮蔽体１８は、枠体１７の穴を塞ぐ。このため、昇降路１の内部の工事が一時的に終了した段階において、乗場３の側から昇降路１を確実に遮蔽することができる。
【００３６】
また、遮蔽体１８は、枠体１７に対して穴を塞ぐ位置と穴を塞がない位置とに移動自在に設けられる。このため、枠体１７の穴に管体１５を容易に取り付けることができる。
【００３７】
また、遮蔽体１８は、穴を塞ぐ位置から枠体１７に沿って上方に移動することにより穴を塞がない位置に配置される。このため、枠体１７の穴に管体１５をより容易に取り付けることができる。
【００３８】
また、ロック体１９は、遮蔽体１８が穴を塞ぐ位置に遮蔽体１８を維持する。このため、作業者以外の者によるいたずらを抑制することができる。
【００３９】
また、送風機１６は、枠体１７に取り付けられる。このため、仮設の足場等を要することなく、昇降路１の排気を容易に行うことができる。
【００４０】
なお、昇降路１の内部の側において、送風機１６を枠体１７と連結してもよい。この場合も、仮設の足場等を要することなく、昇降路１の排気を容易に行うことができる。
【００４１】
また、パネル４ａと枠体１７との間にパッキンを配置させてもよい。この場合、昇降路１の内部の煙等がパネル４ａと枠体１７との間から乗場３にもれることを抑制できる。
【００４２】
また、枠体１７の枠体の穴に環状の弾性体を取り付けてもよい。この場合、蛇腹状の管体１５の外径に応じて弾性体が変形することで、管体１５と弾性体との密着度が上がる。このため、昇降路１の内部の煙等が枠体１７の穴と管体１５との間から乗場３にもれることを抑制できる。
【００４３】
また、パネル４ａが防犯窓枠４ｂを備えていない場合は、昇降路１の内部の工事が行われる際に管体１５に対応した穴を備えた工事用のパネル４ａを一時的に用いればよい。この場合も、昇降路１の排気を容易に行うことができる。
【符号の説明】
【００４４】
１  昇降路、  ２  機械室、  ３  乗場、  ４  乗場ドア、  ４ａ  パネル、  ４ｂ  防犯窓枠、  ５  シリンダ、  ６  プランジャ、  ７  シーブ、  ８  ガイドレール、  ９  かご、  １０  かごドア、  １１  主ロープ、  １２  パワーユニット、  １３  油圧配管、  １４  制御盤、  １５  管体、  １６  送風機、  １７  枠体、  １８  遮蔽体、  １９  ロック体
【図１】
2020164291.tif 000003
【図２】
2020164291.tif 000004
【図３】
2020164291.tif 000005
【図４】
2020164291.tif 000006
【図５】
2020164291.tif 000007
【図６】
2020164291.tif 000008
【図７】
2020164291.tif 000009
【図８】
2020164291.tif 000010